(57)【特許請求の範囲】
【請求項１】
円形の石板で形成された回転板を軸受けブラケットに回転自在に支持し、石柱の上端または下端から横方向に貫通する縦溝を形成し、この縦溝の内側に、前記回転板を支持した軸受けブラケットを挿着して、回転板の周面側が縦溝から突出して回転するようにしたことを特徴とする回転供養塔。
【請求項２】
石板で形成された回転板の中心に、潤滑性を有する合成樹脂製のスリーブを嵌入し、このスリーブに、軸受けブラケットに支持された軸を貫通させたことを特徴とする請求項１記載の回転供養塔。
【請求項３】
石柱に形成した縦溝の平面から見た中心側に、縦溝の両面開口部の幅より内幅が大きい挿着溝を形成し、ここに前記縦溝の両面開口部の幅より大きい軸受けブラケットを挿着したことを特徴とする請求項１又は２記載の回転供養塔。
【発明の詳細な説明】
【０００１】
【発明の属する技術分野】
本発明は墓や寺に設置する回転供養塔に関するものである。
【０００２】
【従来の技術】
一般に、墓地では墓石や、線香を供える香炉、戒名を刻んだ墓誌、塔婆立など石材で形成されたものが設置されている。しかしながらこれら石材で形成されたものは重量が重く、固定されたものであり回転する構造のものはなかった。
【０００３】
【発明が解決しようとする課題】
本発明はかかる点に鑑みなされたもので、お経や梵字、仏像などを刻んだ石板を回転させることにより、お経を上げたと同じ供養を、子供でも容易に行なうことができる回転供養塔を提供するものである。
【０００４】
【課題を解決するための手段】
本発明の請求項１記載の回転供養塔は、円形の石板で形成された回転板を軸受けブラケットに回転自在に支持し、石柱の上端または下端から横方向に貫通する縦溝を形成し、この縦溝の内側に、前記回転板を支持した軸受けブラケットを挿着して、回転板の周面側が縦溝から突出して回転するようにしたことを特徴とするものである。
【０００５】
また請求項２記載の回転供養塔は、石板で形成された回転板の中心に、潤滑性を有する合成樹脂製のスリーブを嵌入し、このスリーブに、軸受けブラケットに支持された軸を貫通させたことを特徴とするものである。更に請求項３記載の回転供養塔は、石柱に形成した縦溝の平面から見た中心側に、縦溝の両面開口部の幅より内幅が大きい挿着溝を形成し、ここに前記縦溝の両面開口部の幅より大きい軸受けブラケットを挿着したことを特徴とするものである。
【０００６】
【発明の実施の形態】
以下本発明の実施の一形態を図１ないし図５を参照して詳細に説明する。石材で形成された台１の上に石柱２が立設されている。この石柱２の上部に笠３が設けられ、更にこの上部にクリン４とギボシ５が重ねられている。前記石柱２の上部側には、上端から横方向に貫通する縦溝６が形成され、縦溝６内に円板状の石材で形成した回転板７が回動自在に支持され、その周面側が縦溝６の両面開口部６ａから突出して回転するようになっている。
【０００７】
また回転板７の両面には、お経や梵字などの文字８や仏像が刻まれている。この回転板７の支持機構は図３および図４に示すように、ステンレスなどの金属で形成された軸受けブラケット１０に支持されている。この軸受けブラケット１０は図５に示すように、両端を下方に折曲した取付板１１の底面両側に、間隔をおいて２枚の軸受け板１２、１２を接合し、ここにボルト挿通孔１３、１３が開孔されている。この２枚の軸受け板１２、１２の取付け間隔は図３に示すように、石柱２に形成した縦溝６の両面開口部６ａの幅より大きく形成されている。また前記取付板１１の折曲した両端部には、ねじ孔１４…が設けられている。
【０００８】
また回転板７は、その中央部分にテフロンなどの潤滑性を有する合成樹脂製のスリーブ１６が嵌入して一体に接合されている。この回転板７は軸受け板１２、１２のボルト挿通孔１３から挿通したステンレス製のボルト１８がスリーブ１６を貫通して固定軸１９となり、その先端がナット２０で固定されている。なお２１は回転板７の両側と軸受け板１２、１２との間に介在されたテフロンなどの潤滑性を有する合成樹脂製のスペーサーである。
【０００９】
また前記石柱２の上端部には、図１に示すように取付板１１の内幅よりやや狭い長方形状の突出部２ａが形成されている。また、石柱２に形成した縦溝６の平面から見た中心側には、図４に示すように縦溝６の両面開口部６ａ、６ａの幅より内幅が大きく、深さが軸受けブラケット１０の高さよりやや深い挿着溝２２が形成されている。この挿着溝２２の内側に、回転板７を取付けた軸受けブラケット１０を挿入し、回転板７の周面を縦溝６の両面開口部６ａ、６ａから突出させ、上部の取付板１１を図３に示すように石柱２の上端の突出部２ａに係合させる。次に取付板１１の折曲部に形成したねじ孔１４…にステンレス製のねじ２３…を取付けて、突出部２ａの両側から締付けて固定する。この後、笠３とクリン４とギボシ５を重ねて図１に示すように組み合わせて完成させる。
【００１０】
このように組立てた回転供養塔は、回転板７の縦溝６から突出した周面に手を当てて手前に廻すと回転板７が容易に回転し、ここに刻まれたお経や梵字などの文字８が回転し、お経を上げたのと同じ供養をすることができる。この場合、回転板７は石材で形成された重量物であるが、回転板７の中央部分に嵌合したテフロンなどの潤滑性を有する合成樹脂製のスリーブ１６が、固定軸１９を軸中心として回転するので子供でも滑らかに回転させることができる。
【００１１】
またテフロンなど合成樹脂製のスリーブ１６は、構造が簡単で潤滑油を供給せずに長期間回転でき、またベアリングなど機械的な軸支持機構を設けていないので、屋外に設置しておいても粉塵などの侵入による故障がなく安定して回転することができる。
【００１２】
また回転板７を支持する軸受けブラケット１０は、縦溝６の平面から見た中心側に、縦溝６の両面開口部６ａ、６ａの幅より内幅を大きく形成した挿着溝２２内に挿着してあるので、固定軸１９の両側を支持する軸受け板１２、１２が図２に示すように、両面開口部６ａ、６ａと回転板７の間の隙間から見えず、どのような回転支持機構であるか外部から分からない。
【００１３】
図６は本発明の他の実施の形態を示すもので、台１の上に石柱２が立設され、この石柱２の上部に玉石２４と笠３、およびギボシ５が重ねられている。前記石柱２の下部側には、下端から横方向に貫通する縦溝６が形成されている。また縦溝６の平面から見た中心側に、縦溝６の両面開口部６ａ、６ａの幅より内幅が大きい挿着溝２２が形成されている。また軸受けブラケット１０は図５と同様に形成され、取付板１１の両端を折曲しないものを反転させて台１の上に置き、この上から石柱２を載せて軸受けブラケット１０を挿着溝２２内に挿着したものである。
【００１４】
【発明の効果】
以上説明した如く本発明に係る回転供養塔によれば、回転板の中央部分に嵌合した合成樹脂製のスリーブが、固定軸を軸中心として回転するので重量のある回転板でも滑らかに回転させることができる。また合成樹脂製のスリーブは、構造が簡単であり潤滑油を供給せずに屋外に設置しても粉塵などの侵入による故障がなく長期間安定して回転させることができる。
【００１５】
また回転板を支持する軸受けブラケットは、縦溝の平面から見た中心側に、縦溝の両面開口部の幅より内幅を大きく形成した挿着溝内に挿着してあるので、開口部より幅の大きい軸受けブラケットが見えず支持機構が外部から分からない。
【図面の簡単な説明】
【図１】本発明の実施の一形態による回転供養塔の側面図である。
【図２】図１に示す回転供養塔の正面図である。
【図３】図１に示す回転供養塔の要部を拡大して示す断面図である。
【図４】図３の水平断面図である。
【図５】回転板を支持した軸受けブラケットの斜視図である。
【図６】本発明の他の実施の形態による、回転供養塔の要部を破断して示す正面図である。
【符合の説明】
１    台
２    石柱
３    笠
４    クリン
６    縦溝
６ａ  両面開口部
７    回転板
８    文字
１０    軸受けブラケット
１１    取付板
１２    軸受け板
１６    スリーブ
１８    ボルト
１９    固定軸
２１    スペーサー
２２    挿着溝
【図１】
0003554853.tif 000002
【図２】
0003554853.tif 000003
【図３】
0003554853.tif 000004
【図４】
0003554853.tif 000005
【図５】
0003554853.tif 000006
【図６】
0003554853.tif 000007